(57)【要約】本発明は、容器用回し閉鎖具に係わり、この閉鎖具は、内側円筒部と、内側円筒部から伸張する刃と、内側円筒部に対して回転可能に取り付けられた貯留器とを含み、貯留器が、底部と、突出する刃を受容するために前記底部から伸張する受容部とから成る。
2005538900.tif 000002
【特許請求の範囲】
【請求項１】
内側円筒部（１８）および該内側円筒部から伸張する切断刃（２２）を含むねじ付き蓋（２）と、
前記内側円筒部（１８）に回転可能に配置でき、かつ、貯留器底（３２）、および、前記切断刃（２２）を受容するために前記貯留器底（３２）から延在するポケット（３６）を有する貯留器（４）とを含む容器用回し閉鎖具。
【請求項２】
前記ポケット（３６）が、下端平面（４４）と、該下端平面から前記貯留器底（３２）まで延在する湾曲端面（４６）とを含む請求項１に記載された容器用回し閉鎖具。
【請求項３】
前記湾曲端面（４６）から前記ポケット（３６）の外側面（４２）への移行部（５４）が材料減少部を有する請求項２に記載された容器用回し閉鎖具。
【請求項４】
前記貯留器（４）が、前記内側円筒部（１８）の部分包囲体としての円筒形貯留器壁（３０）を含み、また、
前記貯留器底（３２）と前記貯留器壁（３０）との間の移行部（５２）が材料減少部を有する請求項１から請求項３までのいずれか１項に記載された容器用回し閉鎖具。
【請求項５】
前記貯留器底（３２）と前記貯留器壁（３０）との間の前記移行部（５２）が、螺旋状に構成され、かつ、容器（Ｂ）に前記ねじ付き蓋（２）を取付けるために設けたねじ山対のピッチに対応するピッチを有する請求項４に記載された容器用回し閉鎖具。
【請求項６】
前記貯留器（４）が、前記貯留器底（３２）の反対側に位置する端部に鋸歯状構造部（５８）を有するカラー（５６）を有する請求項１から請求項５までのいずれか１項に記載された容器用回し閉鎖具。
【請求項７】
前記カラー（５６）が前記貯留器（４）の外側に設けられ、また、
前記鋸歯状構造部（５８）が前記貯留器底（３２）の方向を向いている請求項６に記載された容器用回し閉鎖具。
【請求項８】
前記ねじ付き蓋（２）を開放方向で所定の回転を行なって前記回し閉鎖具を開ける際に、前記鋸歯状構造部（５８）が、前記貯留器（４）の回転阻止ロックとして働く請求項６または請求項７に記載された容器用回し閉鎖具。
【請求項９】
前記内側円筒部（１８）が、その外周面に、周方向に延在する肩（２０）を有する請求項１から請求項８までのいずれか１項に記載された容器用回し閉鎖具。
【請求項１０】
前記貯留器（４）の内側が、前記内側円筒部（１８）の外周面に設けた前記肩（２０）と協働する上ストッパー（６２）および下ストッパー（６４）を含む請求項９に記載された容器用回し閉鎖具。
【請求項１１】
貯留器（４）の内側に設けた前記上ストッパー（６２）および前記下ストッパー（６４）が環状に構成されている請求項１０に記載された容器用回し閉鎖具。
【請求項１２】
前記貯留器（４）用のストッパー（２４）が、前記切断刃（２２）の反対側に位置する前記内側円筒部の端部に隣接して、前記ねじ付き蓋（２）の内側に形成されている請求項１から請求項１１までのいずれか１項に記載された容器用回し閉鎖具。
【請求項１３】
前記ねじ付き蓋（２）の内側に形成された前記ストッパー（２４）が、前記内側円筒部（１８）を円形に包囲するウエブから成る請求項１２に記載された容器用回し閉鎖具。
【請求項１４】
前記ねじ付き蓋（２）が、前記内側円筒部（１８）を包囲するねじ付き蓋壁（６）を含み、また、
前記ねじ付き蓋壁（６）の内側にねじ（１６）が形成されている請求項１から請求項１３までのいずれか１項に記載された容器用回し閉鎖具。
【請求項１５】
前記ねじ付き蓋（２）が、ねじ付き蓋壁（６）に連結されたねじ付き蓋頂部（８）を含み、また、
原状識別リング（１２）が、前記ねじ付き蓋頂部（８）の反対側で、ねじ付き蓋壁（６）に予め定めた破断箇所（１０）として形成された連結部を介して付加されている請求項１４に記載された容器用回し閉鎖具。
【請求項１６】
請求項１から請求項１５までのいずれか１項に記載された前記回し閉鎖具と共に使用するための容器において、
前記容器の開口を制限する開口壁部（６６）に形成され、かつ、前記貯留器（４）の前記鋸歯状構造部と協働するように構成された鋸歯状構造部（７２）を含む容器。
【請求項１７】
前記開口壁部（６６）に形成された前記鋸歯状構造部（７２）が、前記貯留器（４）の前記鋸歯状構造部と作動結合されている時に、前記貯留器（４）が閉鎖方向でのみ回転できるように構成されている請求項１６に記載された容器。
【発明の詳細な説明】
【技術分野】
【０００１】
本発明は、広義の概念で言えば、容器用回し閉鎖具に係わり、具体的には、ねじ付き蓋と、該ねじ付き蓋内に配置されて内部に物質を収蔵する貯留器とを含む回し閉鎖具に関するものであり、これは、回し閉鎖具を取り除くことによって貯留器に生じる開口を通じて前記物質を容器内に入れることができるようになっている。
【背景技術】
【０００２】
例えばビン、缶、筒状体、その他類似の容器では、多くの場合、使用の直前に、容器の内容物に添加物を混入する必要がある。添加物を手操作で混入するのは厄介であり、しかも、結果的に添加物と容器の内容物とが望ましくない割合になる可能性がある。
このため、容器内容物と混合される添加物を１つ以上の複数室に収蔵する容器閉鎖具が使用されることは公知である。この容器の場合、閉鎖具の開閉によって室が開かれることで、収蔵されている添加物が容器内へ入る。
米国特許第４０２４９５２号により公知の容器用ねじ付き蓋では、容器内容物と混合される添加物を収蔵するインサートが、閉鎖具を開ける回転運動時に蓋に対して回転せしめられる。かくして、予め決められたインサート破断箇所が、容器開口の内側でのインサートの摩擦力により破断され、それによってインサートを閉じている蓋が分離される。かくして、添加物がインサートから容器内に入るが、この場合、インサートから分離された蓋も容器内に落下するのが欠点である。
【０００３】
ＥＰ−０１９０５９３−Ａ２には、２部分構成の包装システム用の密閉蓋が開示されているが、このシステムには、ビンの内容物と混合される濃縮物が受容されている。一実施例では、密閉蓋が、雄ねじを有する内側円筒部を含み、該雄ねじには、濃縮物を収蔵するカップ形容器が雌ねじによって螺着される。この場合、ビンに螺着される閉鎖蓋のねじ山の長さと、内側円筒部の雄ねじの長さとは、容器が密閉蓋の回転により更に内側円筒部上に螺着されて、最終的に内側円筒部が容器底領域の予め定めた破断線と交わるように選択される。次いで、こうして開けられる容器開口から、容器に収蔵された濃縮物がビン内に流入する。この場合にも、容器底部が、容器から分離されて、ビン内に入ってしまいがちである。この密閉蓋の一実施例では、濃縮物放出用の容器の開口が、密閉蓋を閉鎖方向へ回転させる間に開けられる。その場合、密閉蓋を閉鎖方向に回転し過ぎると、ビン内へ濃縮物が不都合に放出される。
【０００４】
ＤＥ−８２１４９７４−Ｕ１により公知の容器用密閉蓋には、容器内へ導入される媒質が収蔵されている。密閉蓋を回すと、密閉蓋内の流路が開放され、該流路を介して、媒質が容器内へ流入する。流路を開放するには、一方が他方内に配置された２つの円筒の窓口が互いに重ならねばならない。このような構成のため、密閉蓋を正確に回さないと、窓口が通路の開放に必要な位置を占めないという欠点がある。
ＵＳ−５９８４１４１には、飲用容器用ねじ式閉鎖具が開示されている。このねじ式閉鎖具は、容器の液体に混合される液体を収蔵し、該混合液体は、ねじ式閉鎖具を回すことで、容器内へ流入できる。ねじ式閉鎖具を回すことで、流路が開放され、該流路を介して液体がねじ式閉鎖具から容器内へ流入する。この場合も、ねじ式閉鎖具は、流路が開放されるように正確に回転させなければならない。その上、密閉蓋の回転の程度によって、ねじ式閉鎖具から容器へ流入する液体量が決定される。このため、ねじ式閉鎖具から容器への液体流入量が過少になりがちである。
【発明の開示】
【発明が解決しようとする課題】
【０００５】
本発明の目的は、閉鎖具に収蔵されている物質が、容器が開かれるにつれて容器内に供給され、他方、先行技術に見られる欠点が排除された容器用閉鎖具を得ることにある。したがって、閉鎖具に収蔵されている物質以外の閉鎖具構成部材が容器内に全く進入しないように安全措置が施されている。さらに、この閉鎖具は、簡単かつ費用効果よく製造かつ組立てが可能である。
【課題を解決するための手段】
【０００６】
本発明の基礎である手法は、本発明による回し閉鎖具が切断刃を含み、該切断刃がねじ付き蓋の内部へ延び、かつねじ付き蓋に配設された貯留器のポケットに受容されるというものである。
この目的のために、請求項１による容器（例えば、ビン）用の回し閉鎖具が提供される。本発明による回し閉鎖具は、内側円筒部と該内側円筒部から伸張する切断刃とを有するねじ付き蓋を含む。さらに、貯留器底と、該貯留器底から伸張する切断刃受容ポケットとを含む貯留器が、前記内側円筒部に回転可能に配設されている。
好ましくは、前記ポケットは、切断刃受容用の上方へ開いた方形空間のみでなく、貯留器底へ向かって斜めに延びる「底部」を有する空間をも画成している。このポケットは、したがって、方形受容空間の底部をなす下端平面と、該下端平面から貯留器底へ向かって斜めに延びる底部をなす湾曲端面とを含む。
【０００７】
貯留器の開放を容易にするために、湾曲端面からポケット外側面への移行部は、材料減少部を有する。この移行部は、前記切断刃による貯留器の開口形成を容易にする。
好ましくは、貯留器の底と壁との間の移行部が螺旋状に構成され、そのピッチは、容器のねじ付き蓋に設けたねじ山対のピッチに事実上一致するピッチである。
貯留器を更に開放する際の切断処理を容易にするために、貯留器の底と壁との間の移行部が材料減少部を含むようになされている。また、貯留器の底と壁の全移行領域も、そのように構成するのが有利である。あるいはまた、貯留器の底と壁との間の移行領域の一部、すなわち湾曲端面からポケット外端面への移行部に続く部分を、より薄く構成する。これにより、切断処理の境界線を形成できる。
【０００８】
貯留器壁は、好ましくは円筒形であり、貯留器がねじ付き蓋に配置された場合、少なくとも部分的に内側円筒部を包囲することになる。
回し閉鎖具が開方向に回転される際、ねじ付き蓋と共に貯留器が回転しないように、開方向での閉鎖具の回転中に回転阻止ロックとして働く構造部が貯留器に付与されている。この構造部は、例えば、貯留器に形成され、かつ鋸歯状構造部を有するカラー（首環部）によって実現される。
このカラーは、好ましくは、貯留器の外側に設けられ、その鋸歯状構造部は貯留器底の方向に配向されている。あるいはまた、貯留器の鋸歯状構造部は、半径方向で外方を指すようにしてもよい。鋸歯状構造部の配向は、ビンの開口領域の形状に関係する。
好ましくは、回転阻止ロックとしての貯留器鋸歯状構造部は、回し閉鎖具の開方向での所定回転（例えば、約１８０°にわたる回転）用としてのみ設けられる。
【０００９】
さらに、内側円筒部には肩が設けられており、該肩が、内側円筒部の外周面に周方向に延在する。
内側円筒部の前記肩と協働するように、貯留器には、上、下のストッパーが設けられている。貯留器が内側円筒部に装着されている場合、貯留器の上、下ストッパーは、内側円筒部の肩と一緒に、内側円筒部の長手方向でのねじ付き蓋に対する貯留器の運動を制限する。
さらに別の実施形態では、ストッパー、例えば内側円筒部を円形に取囲むウエブが、切断刃とは反対側の内側円筒部端部に隣接するねじ付き蓋内側に形成されている。該ストッパーは、内側円筒部に沿った貯留器の運動を制限するように働く。
内側円筒部の肩および／または貯留器の上、下肩は、さらに、貯留器に収蔵されている物質を密封するように設計できる。
容器に回し閉鎖具を取り付けるために、ねじ付き蓋壁は、ねじ山を有し、好ましくは、内側円筒部を包囲する外側円筒として構成される。
【００１０】
本発明による回し閉鎖具は、開封の有無をチェックできるように、予め決められた破断箇所を介してねじ付き蓋壁と結合された原状識別リングを備えている。
本発明は、さらに、本発明による回し閉鎖具と共に使用すべき容器を提供するものであり、しかも、この容器は、その開口に鋸歯状構造部を含み、該鋸歯状構造部が、貯留器の鋸歯状構造部と協働するように構成されている。
特に、容器の鋸歯状構造部は、貯留器の鋸歯状構造部と協働して閉鎖方向にのみ貯留器の回転が可能なように構成されている。
以下、添付図面を見ながら、本発明の一実施例について説明する。
【実施例】
【００１１】
添付図面を見ると、容器用回し閉鎖具の一実施例が示されている。該容器は、ねじ付き蓋２（図１、図２、図５参照）と貯留器４（図３、図４、図６参照）とを含む。貯留器４が収蔵する物質は、回し閉鎖具が開けられる際に、該閉鎖具によって閉じられている容器内部へ入るようになっている。
図１、図２、図５に示すように、ねじ付き蓋は、事実上円形断面を有するねじ付き蓋壁６と、該壁部６と結合されたねじ付き蓋頂部８とを含む。ねじ付き蓋頂部８とは反対側のねじ付き蓋壁６の端面（符号なし）は、予め決められた破断箇所１０として構成された結合部を介して原状識別リング１２と結合されている。ねじ付き蓋２は、この蓋によって閉じられた容器からねじ外される際、原状識別リング１２に形成された単一または複数の構造部１４が、容器に形成された各構造部と協働することで、ねじ付き蓋壁６との原状識別リング１２の結合部、すなわち予め決められた破断箇所１０が分離される。かくして、ねじ付き蓋が既に容器から外されたことが指示され、他方、原状識別リング１２が、ねじ付き蓋壁６と結合されていれば、ねじ付き蓋が未開封であることが指示される。
【００１２】
ねじ付き蓋壁６は、その内側に、ねじ付き蓋２を容器の相応に付形されたねじ山に螺着するためのねじ山１６を有する（図７〜図９参照）。さらに、以下では内側円筒部１８と呼ばれる管状構造部が、ねじ付き蓋頂部８から延びている。内側円筒部１８は、事実上、円形横断面を有し、事実上、ねじ付き蓋壁６と共軸線的に配向されている。ねじ付き蓋頂部８と事実上平行な平面内に配置され、かつ内側円筒部１８の周囲に環状に延在する肩２０が、内側円筒部１８の外側に形成されている。
【００１３】
ねじ付き蓋頂部８と反対側の自由端部に、内側円筒部１８は、その縦方向に舌状に延在する切断刃２２を含む。切断刃２２は、内側円筒部１８の自由端部の一部の仮想延長部のジャケット面を形成する。したがって、切断刃２２は、内側円筒部１８と等しい曲率半径を有する。図示の実施例では、また内側円筒部１８と切断刃２２との半径寸法も互いに対応している。つまり、ほぼ等厚である。加えて、切断刃２２の自由端面は、貯留器４の開放を補助するために、面取りされるか、鋭い縁にされている。特に、側端面２２ａおよび／または端面２２ｂ、少なくとも端面２２ａを境界づける端面区域は、鋭い縁となるように設計されている。他方の側端面２２ｃは、貯留器４の不都合な損傷を防止するために、縁が丸められている。
【００１４】
さらに、内側円筒部１８の縦方向に作用する環状ウエブ２４が、ねじ付き蓋頂部８の内側に、ねじ付き蓋壁６および内側円筒部１８とそれぞれ事実上共心的に、内側円筒部を円形に包囲して設けられている。好ましくは、ねじ付き蓋壁６の外側は、容器に対する着脱時に、ねじ付き蓋２を取扱い易いように、少なくとも部分的に、構造化された表面が付与されている。
図３、図４、図６に示した貯留器４は、事実上円形横断面の貯留器壁３０と壁部に結合された貯留器底３２とを含む。
貯留器底３２は、貯留器底領域３２ａとポケット状の突出部またはポケット３６を含み、該ポケットは、内側円筒部１８に取り付けた場合に、切断刃を受容する働きをする。
【００１５】
ポケット３６は、表面３８〜４６によって画成されている。表面３８は、貯留器４の縦方向および半径方向に延在している。内側および外側境界面４０，４２は、貯留器４の半径方向で見て、事実上等しい曲率半径を有する湾曲面であり、この曲率半径は、貯留器壁３０の曲率半径と概ね等しい。端面４４は、貯留器２の縦方向に対して直角の平面内に位置する一方、端面４６は、端面４４から貯留器底領域３２ａへ延びる任意に湾曲した面である。端面４６は、貯留器３２の縦方向に対し傾斜した面を形成している。表面３８，４０，４２，４４は、切断刃２２を受容する空間を画成しており、貯留器４を内側円筒部１８の外側を最大限スリップさせることで、切断刃が、この空間内に受容される。
貯留器底３２は、貯留器２の縦軸線に対し斜めに延びる表面領域４８を有する。この斜めに延びる表面領域４８は、図３に破線で示した境界線を有し、ポケット３６の表面４０から延びて貯留器底３２の中心へ向かって収斂している。
【００１６】
さらに、貯留器底３２は、底部を横断して延びる材料減少部５０を含む。図３の上段中央図には、材料減少部５０の異なる構成が符号５０で示されている。これらの材料減少部の作用については後述する。
貯留器底３２と貯留器壁３０との移行部５２は、壁部３０の厚さと底部３２の厚さとに対してテーパー付けされ、言い換えると、厚さが小さい。移行部５２は、予め決められた破断箇所または予め決められた分離箇所として構成され、後述するように、内側円筒部１８との協働を補助する。このような材料減少部は、またポケット３６の表面４４および／または４６と表面４２との間の移行部５４にも設けられている。
【００１７】
この移行部５２は、貯留器４またはねじ付き蓋２の縦方向に対して螺旋状に延在しており、これらの螺旋のピッチは、ねじ付き蓋２のねじ１６と、回し閉鎖具と共に使用すべき容器の開口領域に切られたねじとから成るねじ山対のピッチと事実上合致する。移行部５２のこのような構成は、貯留器底領域３２ａが、図６に示すように、貯留器４の縦方向に対し斜めに延在する傾斜面を形成することで達せられる。
移行部５２の螺旋形状は、また貯留器底領域３２ａの厚さを、該貯留器底領域内の移行部５２を螺旋状に形成し得る厚さにすることでも達せられる。少なくとも移行部５２をこのように螺旋状に構成することにより、よりコンパクトな構成形式が可能になり、特に縦方向での切断刃２２の長さが短縮される。なぜなら、移行部５２を分離する切断刃２２の位置または区域が、ねじ付き蓋２を外す際、螺旋形状のため、移行部５２に対して維持されるからである。
【００１８】
貯留器底３２とは反対側の、貯留器４の端部には、外側カラー５６が設けれられている。該カラーは、貯留器底３２に向いた端面に鋸歯状構造部５８を含み、その反対側の端面にはシール部材（図示せず）を収容するように構成されている。この実施例では、カラー５６によって形成される肩６０は、任意に貯留器壁３０と結合され、シール部材（例えばシールリング）を受容できる。
貯留器４の内側には、付加的に、環状に構成された上ストッパー６２と、環状に構成された下ストッパー６４とが設けられている。図から分かるように、下ストッパー６４は、例えば、貯留器壁３０の横断面を、少なくとも下ストッパー６４用に設けられた区域で減少させることで実現される。貯留器４の縦方向での上、下ストッパー６２，６４の間隔は、ねじ付き蓋２に対する貯留器４の運動のための遊びを形成している。
【００１９】
この閉鎖具を使用するために、物質Ｇが、貯留器壁３０と貯留器底３２とによって画成される空間（符号なし）内に入れられており、この物質が、閉鎖具を動作させることにより、閉鎖具と共に使用される容器内へ送入される。これらの物質の例としては、医療用や非医療用の小球、錠剤、粉末、液体等と、それらの組合わせとが挙げられる。それらを充填した後、貯留器４を、ねじ付き蓋２の内側円筒部１８の外側に嵌め込み、貯留器４の上ストッパー６２がねじ付き蓋２の肩２０の背方に係合するまでスリップさせる。かくして、貯留器４は、ねじ付き蓋２に固定される。ねじ付き蓋２に対する貯留器４の運動は、より正確に言えば、内側円筒部１８の縦方向での貯留器４の運動は、肩２０と作用接続している貯留器４の上、下ストッパー６２，６４により限界づけられ、貯留器４の縦方向での上、下ストッパー６２，６４の間隔により形成される遊びに相関する要素である。
【００２０】
上、下ストッパー６２，６４によって形成され、かつ内側円筒部１８に対し貯留器４が運動できるように設けられたこの遊びは、特に、貯留器４が内側円筒部１８の周囲を回転できるように寸法づけされている。言い換えると、切断刃２２は、ポケット３６内へは延びていない。その結果、内側円筒部１８に貯留器４を取付ける際（少なくとも最初に）、切断刃２２とポケット３６とが互いに一定の方位になるように、互いに対し配位させる必要はない。貯留器４は、内側円筒部１８に配置する間、まず何らかの所望の形式で内側円筒部１８に対し配向される。なぜなら、切断刃２２とポケット３６との相互配位は、閉鎖蓋３と貯留器４との後続する回転によって達せられるからである。
【００２１】
ウエブ２４は、ねじ付き蓋頂部８の方向への貯留器４の運動を制限するストッパーとして役立ち、これによって、貯留器４は、肩２０が背方から下ストッパー６４に係合するほどは、内側円筒部１８の周囲をスリップさせることはできない。これにより、貯留器４を閉鎖蓋３に取り付ける際、例えば、貯留器４に閉鎖蓋頂部８の方向への力が作用しても、貯留器底３２が、特にポケット３６が、切断刃２２によって損傷することが防止される。
さらに、ウエブ２４は、カラー５６と、肩６０と、肩上に配置されたシール部材と協働するシール円錐またはシール円筒として役立ち、特に回し閉鎖具と組み合わせて使用される容器に対し貯留器４を密閉する。
【００２２】
内側円筒部１８と貯留器４とに制限された内部空間を密閉するために、特に小粒子流体またはそれに含有される物質の場合、内側円筒部１８の外側に密封接触するシールリング（図示せず）は、例えば貯留器４の肩２０上に配置される。さらに、肩２０は、肩２０上に配置されたシール部材（シールリング）を含んでいてもよいが、内側円筒部１８と、上、下の肩６２，６４間に位置する貯留器内側区域との間を確実に密封するように構成されている。上、下の肩６２，６４間の貯留器４の内側に、密封に適する被覆を施してもよい。
【００２３】
ねじ付き蓋２と貯留器４とに関して以下に示すデータは、単なる特定の例と理解されたい（図５、図６参照）：
ねじ付き蓋２
材料：    ＰＴ
重量：    約３．２ｇ
外径：    ３０．３ｍｍ
高さ：    １９．８ｍｍ
ねじ山：  ８回転／３．１７５ｍｍのピッチ
約２回転
貯留器４：
材料：    ＰＴ
重量：    約０．８ｇ
外径：    ２２．２ｍｍ
高さ：    １４．６ｍｍ
【００２４】
容器Ｂ、例えばビン（図示せず）の開口は、ねじ付き蓋２と貯留器４と一緒に使用するためのものであり、該開口は、図７に示すように、開口壁部６６を有する。開口壁部６６は、その外側に、ねじ付き蓋２のねじ１６と協働するように構成されたねじ６８と、原状識別リング１２と協働するように構成された肩７０と、該リング１２に形成された構造部１４とを含む。さらに、貯留器４の鋸歯状構造部５８に対して相補的に形成された鋸歯状構造部７２が、開口壁部６６の内側に設けられている。
鋸歯状構造部５８，７２は、作動結合（設定）した場合、特に、閉鎖方向での貯留器４の回転は許容するが、開方向での貯留器４の回転を阻止するように構成されている。
開口壁部６６により制限された開口、ひいてはそれに続く容器Ｂを閉じるには、内側円筒部１８に貯留器４が取付けられたねじ付き蓋２が、そのねじ１６を介してねじ６８に螺着される。
【００２５】
ねじ付き蓋２がねじ６８に螺着されると、ねじ付き蓋２に対する貯留器４の位置が切断刃２２によって維持され、その際切断刃２２は、ポケット３６に受容され、したがって切断刃端面２２ｃを介して表面３８の内側に接触する。このことは、また貯留器４の鋸歯状構造部５８が容器開口の鋸歯状構造部７２に係合した場合にも生じる。なぜなら、鋸歯形状は、ねじ付き蓋２の螺着時に鋸歯状構造部５８，７２の相対運動が可能になるように構成されているからである。
ねじ付き蓋２が螺着された後、容器Ｂは、図８に示したように閉じられ、内側円筒部１８と貯留器４とにより形成された内部空間に収蔵された物質Ｇが容器内へ漏れることはない。容器内への送入は、ねじ付き蓋２をねじ外すことで達せられる。
【００２６】
最初にねじ付き蓋２を弛める際、原状識別リング１２が肩７０によってねじ付き蓋壁６から分離される。さらに、貯留器４は、鋸歯状構造部５８，７２の作用接続のため、回転に抗して固定されている。これは、鋸歯状構造部７２に対して螺着後に占める貯留器の位置が維持されることを意味する。したがって、貯留器４に対する内側円筒部１８の移動は生じない。
こうすることにより、切断刃２２は、少なくともその端面２２ａを介して、また切断刃２２および／またはポケット３６の設計に応じて、その端面２２ｂをも介して、表面４６の領域でポケット３６の内側と接触し、移行部５４を分離するか、貫通するか、切断する等の力を作用させる。
ねじ付き蓋２を開方向へ更に回転させると、切断刃２２の端面２２ａが移行部５２の領域で貯留器底３２を切断する。この回転は、内側円筒部１８の肩２０が貯留器４の上ストッパー６２に接触するまで続く。
【００２７】
移行部５４の切断と移行部５２の部分切断とにより、貯留器底３２は、下方へ（すなわち、ねじ付き蓋頂部８から離れる方向へ）傾斜する。このため、内側円筒部１８と貯留器４とが画成する空間に収蔵された物質Ｇは、こうして出来た開口から、ねじ付き蓋２と結合されている容器内へ入ることができる。この経過は、ヒンジのように動作する、貯留器底３２の材料減少部５０により補助される。こうすることにより、傾斜して延在する表面領域４８が、貯留器底領域３２ａを更に著しくまたは急速に下方へ傾斜させる。完全に近い開放と貯留器４の収蔵物の排出促進は、こうして達せられる。加えて、前記排出は、既述のように、貯留器底領域３２ａが斜めに延在することで補助される。前記排出は、したがって、例えば、貯留器４に収蔵される物質の性質および形態の相関要素である貯留器底領域３２ａの傾度または傾斜に影響され得る。
【００２８】
貯留器４の開放を補助し、かつ特に貯留器底３２または少なくともその一部分の下方への傾斜を促進するため、貯留器底３２には、少なくとも部分的にプリストレスが与えられる。このプリストレスにより、貯留器４または少なくとも貯留器４の複数部分は、例えば貯留器底領域３２ａは、移行部５２および／またはその境界線の切断時に下方へ能動的に傾斜させられる。このプリストレスは、移行部５０のヒンジ効果を補助するのに利用でき、または移行部５０なしに、または移行部と無関係に、貯留器４を開放するために利用できる。
ねじ付き蓋２が更に弛められると、ねじ付き蓋２は、貯留器４に対し、内側円筒部１８の肩２０が貯留器４の上ストッパー６２に接触するまで動かされる。ストッパー２０，６２間の作用接続により、貯留器４は、ねじ付き蓋２と共に容器から取り外される。
【００２９】
ヒンジとしての移行部５０の働きを利用し得るように、貯留器４は、切断刃２による貯留器４の分離中、移行部５２が移行部５０の一端から移行部５０の他端まで分離されるまで、回転に抗して容器Ｂに固定されるようにされている。図３の上部中央の図に示されているように、移行部５２は、該図の上部の破線で示す位置に設けられた移行部５０の場合には、点Ｉから点ＩＩまで分離される。また下部の破線で示した位置に設けられた移行部５０の場合には、移行部５２は、点Ｉから点ＩＩＩまで切断される一方、移行部５２は、垂直に延在するように示された移行部５０の場合には、点Ｉから点ＩＶまで分離される。
【００３０】
貯留器底３２または少なくともその複数部分を、例えば移行部５０および／または少なくとも部分的なプリストレスを利用して貯留器４を開く方向で下方へ傾斜させる代わりに、切断刃２２および／または移行部５２を次のように設計することも考えられる。すなわち、貯留器底３２の切断により、貯留器４に収蔵された物質Ｇを排出するのに十分な大きさの開口が設けられるようにするのである。この目的のためには、切断刃２２は、十分な大きさの開口が貯留器底３２の切断によって作られるように寸法づけされる。切断刃２２は、例えば楔形におよび／または内側円筒部１８より厚肉にすることができる。あるいは又前記のようではなく、または前記のことに加えて、移行部５２を図示のものより広幅にすることおよび／または移行部５２を次のように設計することもできる。すなわち、切断刃２２による切断時に、十分な大きさの開口が作られ、例えば、切断刃２２により分離されるより広幅の区域の移行部５２が、破断されるようにする。
【００３１】
切断刃２２は、ポケット３６の端面４４を切断できないので、貯留器底３２は、移行部５０および内側境界面４０と、ポケット３６の端面４４および外側境界面４２とを介して貯留器壁３０と結合されたままである。この状態は、鋸歯状構造部５８，７２間の作用接続が外されて、貯留器４がねじ付き蓋２と共に容器Ｂから外される前に、どれだけ、ねじ付き蓋２が開方向に回転されたかということとは無関係に生じる。貯留器底３２は、したがって、貯留器壁３０と結合されたままで、切断刃２２による貯留器４の開放がどの程度であろうと、容器Ｂ内へ落ちることはあり得ない。とりわけ、切断刃２２による移行部５２の切断の程度は、貯留器４に収蔵される物質および／または該物質が容器Ｂに供給される速度の相関要素である。
更にねじ外すことにより、ねじ付き蓋２と、まだ該キャップと結合されている貯留器４とは、容器から除去でき、要求に応じて容器を閉じるために容器に再び螺着することができる。
【図面の簡単な説明】
【００３２】
【図１】図２と共に、本発明の一好適例による回し閉鎖具のねじ付き蓋を示す模式図。
【図２】図１と共に、本発明の一好適例による回し閉鎖具のねじ付き蓋を示す模式図。
【図３】図４と共に、本発明の一好適例による回し閉鎖具の貯留器を示す模式図。
【図４】図３と共に、本発明の一好適例による回し閉鎖具の貯留器を示す模式図。
【図５】図１および図２のねじ付き蓋の別の模式図。
【図６】図３および図４の貯留器の別の模式図。
【図７】本発明の一好適例による容器の開口領域の模式図。
【図８】図１、図２、図５のキャップと、図３、図４、図６の貯留器とを、図７の容器開口に取り付けた位置で示す模式図。
【図９】図１、図２、図５のねじ付き蓋と、図３、図４、図６の貯留器とを、開方向への回転時の位置で示す模式図。
【図１】
2005538900.tif 000003
【図２】
2005538900.tif 000004
【図３】
2005538900.tif 000005
【図４】
2005538900.tif 000006
【図５】
2005538900.tif 000007
【図６】
2005538900.tif 000008
【図７】
2005538900.tif 000009
【図８】
2005538900.tif 000010
【図９】
2005538900.tif 000011
【手続補正書】
【提出日】平成15年10月17日(2003.10.17)
【手続補正１】
【補正対象書類名】特許請求の範囲
【補正対象項目名】全文
【補正方法】変更
【補正の内容】
【特許請求の範囲】
【請求項１】
内側円筒部（１８）および該内側円筒部から伸張する切断刃（２２）を含むねじ付き蓋（２）と、
前記内側円筒部（１８）に回転可能に配置でき、かつ、貯留器底（３２）、および、前記切断刃（２２）を受容するために前記貯留器底（３２）から延在するポケット（３６）を有する貯留器（４）とを含む容器用回し閉鎖具において、
前記貯留器底（３２）が、該貯留器底（３２）を横切って延在する材料減少部（５０）を含むことを特徴とする容器用回し閉鎖具。
【請求項２】
前記ポケット（３６）が、下端平面（４４）と、該下端平面から前記貯留器底（３２）まで延在する湾曲端面（４６）とを含む請求項１に記載された容器用回し閉鎖具。
【請求項３】
前記湾曲端面（４６）から前記ポケット（３６）の外側面（４２）への移行部（５４）が材料減少部を有する請求項２に記載された容器用回し閉鎖具。
【請求項４】
前記貯留器（４）が、前記内側円筒部（１８）の部分包囲体としての円筒形貯留器壁（３０）を含み、また、
前記貯留器底（３２）と前記貯留器壁（３０）との間の移行部（５２）が材料減少部を有する請求項１から請求項３までのいずれか１項に記載された容器用回し閉鎖具。
【請求項５】
前記貯留器底（３２）と前記貯留器壁（３０）との間の前記移行部（５２）が、螺旋状に構成され、かつ、容器（Ｂ）に前記ねじ付き蓋（２）を取付けるために設けたねじ山対のピッチに対応するピッチを有する請求項４に記載された容器用回し閉鎖具。
【請求項６】
前記貯留器（４）が、前記貯留器底（３２）の反対側に位置する端部に鋸歯状構造部（５８）を有するカラー（５６）を有する請求項１から請求項５までのいずれか１項に記載された容器用回し閉鎖具。
【請求項７】
前記カラー（５６）が前記貯留器（４）の外側に設けられ、また、
前記鋸歯状構造部（５８）が前記貯留器底（３２）の方向を向いている請求項６に記載された容器用回し閉鎖具。
【請求項８】
前記ねじ付き蓋（２）を開放方向で所定の回転を行なって前記回し閉鎖具を開ける際に、前記鋸歯状構造部（５８）が、前記貯留器（４）の回転阻止ロックとして働く請求項６または請求項７に記載された容器用回し閉鎖具。
【請求項９】
前記内側円筒部（１８）が、その外周面に、周方向に延在する肩（２０）を有する請求項１から請求項８までのいずれか１項に記載された容器用回し閉鎖具。
【請求項１０】
前記貯留器（４）の内側が、前記内側円筒部（１８）の外周面に設けた前記肩（２０）と協働する上ストッパー（６２）および下ストッパー（６４）を含む請求項９に記載された容器用回し閉鎖具。
【請求項１１】
貯留器（４）の内側に設けた前記上ストッパー（６２）および前記下ストッパー（６４）が環状に構成されている請求項１０に記載された容器用回し閉鎖具。
【請求項１２】
前記貯留器（４）用のストッパー（２４）が、前記切断刃（２２）の反対側に位置する前記内側円筒部の端部に隣接して、前記ねじ付き蓋（２）の内側に形成されている請求項１から請求項１１までのいずれか１項に記載された容器用回し閉鎖具。
【請求項１３】
前記ねじ付き蓋（２）の内側に形成された前記ストッパー（２４）が、前記内側円筒部（１８）を円形に包囲するウエブから成る請求項１２に記載された容器用回し閉鎖具。
【請求項１４】
前記ねじ付き蓋（２）が、前記内側円筒部（１８）を包囲するねじ付き蓋壁（６）を含み、また、
前記ねじ付き蓋壁（６）の内側にねじ（１６）が形成されている請求項１から請求項１３までのいずれか１項に記載された容器用回し閉鎖具。
【請求項１５】
前記ねじ付き蓋（２）が、ねじ付き蓋壁（６）に連結されたねじ付き蓋頂部（８）を含み、また、
原状識別リング（１２）が、前記ねじ付き蓋頂部（８）の反対側で、ねじ付き蓋壁（６）に予め定めた破断箇所（１０）として形成された連結部を介して付加されている請求項１４に記載された容器用回し閉鎖具。
【請求項１６】
請求項６から請求項１５までのいずれか１項に記載された前記回し閉鎖具と共に使用するための容器において、
前記容器の開口を制限する開口壁部（６６）に形成され、かつ、前記貯留器（４）の前記鋸歯状構造部と協働するように構成された鋸歯状構造部（７２）を含む容器。
【請求項１７】
前記開口壁部（６６）に形成された前記鋸歯状構造部（７２）が、前記貯留器（４）の前記鋸歯状構造部と作動結合されている時に、前記貯留器（４）が閉鎖方向でのみ回転できるように構成されている請求項１６に記載された容器。
【国際調査報告】
2005538900.tif 000012
2005538900.tif 000013
2005538900.tif 000014
2005538900.tif 000015
2005538900.tif 000016
2005538900.tif 000017